(57)【要約】      （修正有）【課題】従来の静電場処理装置では、電力の消費が著しくコスト高になる問題がある。また、血液などの体液を凍結限度をできるだけ低くして保存するための振とう機などの電気機器を、静電場雰囲気内に設置すると動作が不安定になったり、動作不能になることがある。【解決手段】静電場発生電源３を備えた冷蔵庫２と、該静電場発生電源に接続した電極７と、該冷蔵庫内に設置するものであって該電極との接続部を備えた収納具８と、該収納具を絶縁状態に保持する絶縁体９とによって構成し、該電極は庫内に設けた配線ボックス６を通じて庫内に配設する。【選択図】図１
0003101162.tif 000002
【実用新案登録請求の範囲】
【請求項１】
静電場発生電源を備えた冷蔵庫と、該静電場発生電源に接続した電極と、該冷蔵庫内に設置するものであって該電極との接続部を備えた収納具と、該収納具を絶縁状態に保持する絶縁体とによって構成し、該電極は庫内に設けた配線ボックスを通じて庫内に配設したことを特徴とする静電場処理装置。
【請求項２】
絶縁体は、碍子である請求項１記載の静電場処理装置。
【請求項３】
配線ボックスは、庫内に設置する電気機器に接続する電源コードを庫内に導入するものである請求項１記載の静電場処理装置。
【請求項４】
電気機器は、振とう機本体と該振とう機本体に絶縁体を介して取り付けられ電極との接続部を備える振とう容器より成る振とう機である請求項３記載の静電場処理装置。
【考案の詳細な説明】
【技術分野】
【０００１】
本考案は、人の臓器や体液などを冷蔵保存するための静電場処理装置に関するものである。
【背景技術】
【０００２】
従来より、冷蔵庫内において静電場を形成し、この雰囲気内で人体の臓器や血液などを冷蔵保存する方法が広く知られている。静電場形成手段としては、例えば特許文献１に開示されているように、高圧静電トランスを使用し、２次高圧側の１極を絶縁し、他の１極を導電性金属材料の棚に接続する。これによって、静電誘導による陰電子が印加され、該棚に載置した臓器等を静電場雰囲気内で冷蔵保存することができる。この場合の陰電子発生条件としては、高圧静電トランス１００Ｖ１次側の電流値が電極１ｍ２当たり０．０２Ａ〜０．３Ａであり、１次側電流値を満足させる２次側電圧は５０００Ｖ〜２００００Ｖである。
【０００３】
冷蔵庫内に形成した静電場雰囲気内においては、−５°Ｃ程度の低温でも凍結することがない。このため、凍結時における細胞破壊が生じることなく新鮮な状態で長期間保存することができ、臓器などの保存にはまさに好適な保存方法である。また、凍結保存する精子や卵子などにおいても、凍結時のみならず解凍する際の細胞破壊も防ぐことができる効果もある。
【特許文献１】特公平５−０７７３８７号
【考案の開示】
【考案が解決しようとする課題】
【０００４】
従来の静電場処理装置においては、冷蔵庫内の内壁全体をポリ塩化ビニルなどのプラスチック製絶縁体を介して金属板で覆った構造とし、庫内全体が静電場雰囲気となるようにしている。この庫内に、ステンレスなどの導電性容器を組み込むことにより、−３°Ｃ〜３°Ｃの低温下で該容器に保存物を収容していた。ところが、庫内全体を静電場雰囲気に形成する構造においては、冷蔵庫の大きさや保存物の数、大きさ、形状にもよるが、置き場所により静電場の条件にバラツキが生じ、保存状態が大きく異なってしまう問題が生じる。
【０００５】
また、保存物が少量であったり、小さな物の場合など、電力を無駄に消費しコスト高になるなどの問題があった。さらに、庫内に他の電気機器を入れると動作が不安定になったり、動作不能になる場合があり、保存時に必要とする撹拌装置や振とう機などの機器を利用することができない基本的な欠点を有していた。特に、振とう機は血液などの体液を凍結限度をできるだけ低くして保存する上で有用であり、これらの機器を併用できなければ、静電場処理装置としての効果が著しく低下することになる。
【課題を解決するための手段】
【０００６】
以上のような状況に鑑み、本考案者は鋭意研究の結果遂に本考案を完成したものでありその特徴とするところは、静電場発生電源を備えた冷蔵庫と、該静電場発生電源に接続した電極と、該冷蔵庫内に設置するものであって該電極との接続部を備えた収納具と、該収納具を絶縁状態に保持する絶縁体とによって構成し、該電極は庫内に設けた配線ボックスを通じて庫内に配設したことにある。
【０００７】
本考案における冷蔵庫としては、その本体に静電場発生電源を設けた構造とする。静電場発生電源は冷蔵庫本体に内蔵するが、別体に設けてもよい。また、少なくともスライダックなどの電圧調整装置や電圧表示装置を設ける。このため、静電場発生電源やこれに関連する機器を除いては、一般的な業務用冷凍冷蔵庫とほぼ同じ構造である。
【０００８】
本考案においては、このような冷蔵庫の庫内内壁に配線ボックスを設ける。この配線ボックスを通じて静電場発生電源と庫内に配した電極とを接続する。そして、庫内に収納具を設置し、該収納具に設けた接続部と該電極とを接続する。この場合、収納具と庫内を絶縁するため該収納具を絶縁体で保持させる。絶縁体は収納具を庫内に設置する際に介在させる他、収納具の底部や天部などに設けてもよく、冷蔵庫の庫内側に設けておいてもよい。従って、本考案に係る静電場処理装置は、冷蔵庫の庫内の一部に静電場雰囲気を形成するための収納具を配置した形態となる。
【０００９】
収納具の構造は特に限定するものではなく、保存物を載置したり収容できるものであればよい。一般的には、ステンレスなどの金属で形成した棚やトレーなどである。収納具と庫内の間に介在させる絶縁体も限定するものではないが、高い絶縁性を有する碍子を利用するのが好ましい。
【００１０】
配線ボックスは、庫内の内壁に取り付け、これを通じて静電場発生電源と庫内に配した電極とを接続する。配線ボックスを設けたことにより、庫内に電源コードを導入することが可能となり、振とう機や撹拌装置などの電気機器を設置して稼働させることができる。しかも、本考案は庫内全体を静電場雰囲気にすることなく、静電場発生電源から配線ボックスを通じて接続した庫内に配した電極と収納具を接続し、該収納具に静電場雰囲気を形成させる構造であるため、庫内に設置した電気機器に全く影響を及ぼさない。
【考案の効果】
【００１１】
本考案に係る静電場処理装置は、冷蔵庫の庫内に配線ボックスを設けた構造により、該配線ボックスを通じて静電場発生電源と電極を接続したり、庫内に電源供給可能となる。このため、庫内の一部に静電場雰囲気を形成することで、無駄が無くしかも効率よく最適な条件で静電場処理することができる。静電場発生電源を複数設け、各々に配線ボックスを通じて電極に接続することもでき、条件の異なる複数の静電場雰囲気を形成したり個別に制御することで、収納物の種類や大きさに対応することが可能となる。また、庫内の清掃や保守・点検も容易になるなどの効果も生じる。
【００１２】
さらに、静電場雰囲気に影響されることなく電気機器を庫内に設置でき、静電場雰囲気内で振とう機などの機器を用いることが可能となり、静電場処理による効果をさらに高めることができるなど実用上極めて有益な効果を有するものである。
【考案を実施するための最良の形態】
【００１３】
本考案は、冷蔵庫の庫内に配線ボックスを設け、該配線ボックスを通じて静電場発生電源と電極を接続すると共に、接続部を該電極に接続し絶縁体によって絶縁状態に保持した収納具を庫内に設けたことによって、上記課題を解決した。
【実施例１】
【００１４】
図１（ａ）は、本考案に係る静電場処理装置１における外観の一例を示すものである。この静電場処理装置１は、冷蔵庫２の上部に静電場発生電源３を内蔵したもので、該静電場発生電源３の電圧を調整するスライダック４と、電圧メータ５を前面に設けている。同図（ｂ）は静電場処理装置１の庫内の一例を示し、内壁に取り付けた配線ボックス６から電極７を配設している。電極７は配線ボックス６を通じて静電場発生電源３に接続され、庫内に絶縁体として碍子９を介して設置した収納具８の接続部８１に連結している。
【００１５】
本例の収納具は、ステンレス製のラックにスノコ状の棚８２を３段に設けた構造であり、該ラックに接続部８１を設けている。収納物Ａはステンレスのトレー８３に入れて該棚８２に載置する。このようにして臓器など人体の一部が静電場雰囲気内に置かれ、凍結させることなく低温で長期保存することができる。
【実施例２】
【００１６】
図２（ａ）は、本考案に係る静電場処理装置１の他の例を示し、庫内に血液を保存するための振とう機１０を設けたものである。庫内に配線ボックス６を設けたことにより、電極７のみならず振とう機１０の電源コード１１も該配線ボックス６から取り出すことができる。本例の振とう機１０は、振とう機本体１０１と振とう容器１０２とによって構成され、該振とう容器１０２に電極７に接続する接続部８１を設けている。本例の振とう容器１０２は、ラックに血液を入れるトレー８３を２段に設けた構造とし、ラックに設けた接続部８１に接続する電極７は、柔軟性を有するコードに設けることによって該ラックの振動を吸収させている。ラックは、同図（ｂ）のように絶縁体としてＡＢＳ樹脂製の板１２を底部に設け、振とう機本体１０１と絶縁している。
【図面の簡単な説明】
【００１７】
【図１】（ａ）は本考案に係る静電場処理装置の一例を示す斜視図、（ｂ）は庫内の一例を示す正面図である。（実施例１）
【図２】（ａ）は本考案に係る静電場処理装置の他の例を示す正面図、（ｂ）は振とう機の正面図である。（実施例２）
【符号の説明】
【００１８】
１  静電場処理装置
２  冷蔵庫
３  静電場発生電源
４  スライダック
５  電圧メータ
６  配線ボックス
７  電極
８  収納具
８１  接続部
８２  棚
８３  トレー
９  碍子
１０  振とう機
１０１  振とう機本体
１０２  振とう容器
１１  電源コード
１２  板
【図１】
0003101162.tif 000003
【図２】
0003101162.tif 000004